(57)【要約】      （修正有）【課題】災害時に簡易照明などに使用できる録音再生機能付きマルチスタンドを提供する。【解決手段】録音再生機能付きマルチスタンド１の前面または背面に太陽電池及び録音スイッチ３ａ、再生スイッチ３ｂ、録音スイッチ４ａ、再生スイッチ４ｂ、録音禁止スイッチを設け、さらに、転倒スイッチ、照明用ＬＥＤを備える。【選択図】図１
0003178983.tif 000002
【実用新案登録請求の範囲】
【請求項１】
眼鏡を入れることができる筒状の本体の前面又は背面に太陽電池を備え、本体の内部には太陽電池で発電した電気、それを充電用電池に充電した電気、又は、乾電池からも電気を録音再生回路と、照明用ＬＥＤに供給することを特徴とする録音再生機能付きマルチスタンド。
【請求項２】
上記、録音再生機能付きマルチスタンドに録音再生回路で録音、再生を繰り返しできる機能を備え、さらにこの録音再生機能とは別に、転倒スイッチと連動して動作する照明用ＬＥＤを有することを特徴とする請求項１記載の録音再生機能付きマルチスタンド。
【請求項３】
録音再生回路を2つ備え、1つは録音、再生を繰り返しできる機能を有し、他のもう１つについては、録音データをスイッチの切換えにより、消去できない機能を持たせたことを特徴とする請求項1記載の録音再生機能付きマルチスタンド。
【考案の詳細な説明】
【技術分野】
【０００１】
本考案は、太陽電池より発電された電気を充電用電池に充電し、その電気、又は、乾電池で録音再生及び照明機能に供給する機能を備え、眼鏡立てなどに使える録音再生機能付きマルチスタンドに関するものである。
【背景技術】
【０００２】
通常、録音再生機能を備えたものは、おもに録音再生機能を重視した機能であり、また通常は乾電池やボタン電池が使用されており、電池が消耗した場合には使用不能になる。
【０００３】
例えば、特許文献１に記載のように、薄いカード型の録音再生機能を持った録音機が提案されているが、電源にはボタン電池が使用されており、いずれ電池は消耗するため録音機は使用できなくなる。
【０００４】
また、特許文献２に記載のように、フォト、絵画用フレームなどに録音再生機能を持った装飾品などがあるが、機能が録音再生の機能に限定されており、停電時、簡易的な照明が必要な場合などには別途、照明装置を備えておく必要があった。
【先行技術文献】
【特許文献】
【０００５】
【特許文献１】実新案３１００１３６号公報
【特許文献２】特許公開平６−１３３８３６号公報
【考案の概要】
【考案が解決しようとする課題】
【０００６】
しかし、上記何れの提案も電源が乾電池やボタン電池であり、録音再生機能を電池のみで駆動させていたものであり、電源の電池が消耗したときには使用できないなどの問題点がある。
【０００７】
本考案は上記問題点を解消し、乾電池だけを主電源にする録音再生機能だけのマルチスタンドではなく、太陽電池と充電用電池を設けることにより、停電時や地震などの災害時の簡易照明などに使用することを目的とする。
【課題を解決するための手段】
【０００８】
眼鏡を入れることができる筒状の本体の前面又は背面に太陽電池を備え、本体の内部には太陽電池で発電した電気、それを充電用電池に充電した電気、又は、乾電池からも電源を録音再生回路と、照明用ＬＥＤに供給することを特徴とする録音再生機能付きマルチスタンド。
【０００９】
上記、録音再生機能付きマルチスタンドに録音再生回路で録音、再生を繰り返しできる機能を備え、さらにこの録音再生機能とは別に転倒スイッチと連動して動作する照明用ＬＥＤを有することを特徴とする録音再生機能付きマルチスタンド。
【００１０】
録音再生回路を2つ備え、1つは録音、再生を繰り返しできる機能を有し、他のもう１つについては、録音データをスイッチの切換えにより、消去できない機能を持たせたことを特徴とする録音再生機能付きマルチスタンド。
【考案の効果】
【００１１】
本考案の録音再生機能付きマルチスタンドは、太陽電池からの電流で常に、充電用電池を充電状態におくことで、乾電池の電池交換が少なくなり経済的な録音再生機能付きマルチスタンドである。
【００１２】
本考案の録音再生機能付きマルチスタンドは、真っ暗で照明が必要な時、本体に照明用ＬＥＤを有しており、簡易照明装置としても有効であり、電源装置も充電用電池及び乾電池を備えているため、有効な電源装置を選択することができる
【００１３】
録音再生機能付きマルチスタンドの内部には、録音再生機能の回路を備えており、音声を録音し、それを再生することにより音声で伝言することができる。また、録音禁止スイッチを有しているので、そのスイッチを録音禁止状態に切換えておくことで大切な録音を誤って消去することを防止できる。
【図面の簡単な説明】
【００１４】
【図１】録音再生機能付きマルチスタンドの正面斜視図
【図２】録音再生機能付きマルチスタンドの裏面斜視図
【図３】録音再生機能付きマルチスタンドの底面図
【図４】録音再生機能付きマルチスタンドの内部部品配置図
【図５】録音再生機能付きマルチスタンドの横断面図
【図６】録音再生機能付きマルチスタンドの回路図
【考案を実施するための形態】
【００１５】
本考案は、太陽電池より発電された電気を充電用電池に充電した電気で録音再生回路、および照明用ＬＥＤに供給し、スイッチの切換えによって乾電池からも電源を供給する録音再生機能付きマルチスタンドである。以下、本考案の録音再生機能付きマルチスタンドの実施例を説明する。図１から図３は録音再生機能付きマルチスタンドを示す斜視図及び底面図であり、図４は内部部品配置図、図５は横断面図で、図６は回路図である。
【００１６】
本考案の録音再生機能付きマルチスタンド１は、図１から図５に示すように、筒状本体１ａと下部の台部１ｂ、底板１ｃで構成されており、底板１ｃと台部１ｂの下面には図示しないビスによって底板１ｃが固定されている。又、筒状本体１ａと台部１ｂ、底板１ｃはそれぞれ例えばＡＢＳ樹脂などの硬質プラスチックの成型品で構成されている。内部の空間には照明用ＬＥＤ８、転倒スイッチ５ｂ、スピーカ９、充電用電池６、乾電池７、さらに録音再生に必要な部品が実装された録音再生１回路３、録音再生２回路４、が収納されている。
【００１７】
図１に示すように、成型品で出来た筒状本体１ａの前面の、台部１ｂに録音１スイッチ３ａ、再生１スイッチ３ｂ、録音２スイッチ４ａ、再生２スイッチ４ｂ、の先端が突出する構造になっている。又、筒状本体１ａの前面の内部には外部音を収集するマイク３ｃを設けている。
【００１８】
図２に示すように、成型品で出来た筒状本体１ａの裏面に太陽電池２を設け、太陽光などで充電用電池６に充電するようになっている。なお、台部１ｂの裏面には録音禁止スイッチ４ｃ、電源切換えスイッチ５、を備えている。
【００１９】
図３は録音再生機能付きマルチスタンド１の底板１ｃの図で、転倒検知ノブ５ｃ、ＬＥＤ電源スイッチ５ａ、ＬＥＤ窓１ｄ、照明用ＬＥＤ８、電池蓋１ｅがある。転倒検知ノブ５ｃは通常、筒状本体１の重量で底板１ｃの内部に押し込まれているが、録音再生機能付きマルチスタンド１が転倒したり、手で持ち上げたりすると転倒スイッチ５ｂがオンになり、ＬＥＤ電源スイッチ５ａがオンになっていると照明用ＬＥＤ８がオンになる構造になっている。なお、照明が不要な時にはＬＥＤ電源スイッチ５ａでオフすることもできる。
【００２０】
つぎに、図４は台部１の内部部品配置図で録音再生１回路３、及び録音再生２回路４は所要の回路パターンによって録音再生回路を構成するものである。台部１ｂの空間の側面内部に録音禁止スイッチ４ｃ、電源切換えスイッチ５、録音１スイッチ３ａ、再生１スイッチ３ｂ、録音２スイッチ４ａ、再生２スイッチ４ｂ、マイク３ｃを設け、転倒スイッチ５ｂは底板１ｃの形成された溝で固定されている。照明用ＬＥＤ８は底板１ｃの底面１ｃに形成されたＬＥＤ窓１ｄに位置し、且つ底板１ｃから突出しない状態で装着されている。なお、抵抗器８ａは照明用ＬＥＤ８の電流制限用のために照明用ＬＥＤ８に直列に接続されている。
【００２１】
図５は録音再生機能付きマルチスタンドの横断面図であり、台部１ｂの空間の部品配置を示した図である。スピーカ９、及び充電用電池６は台部１ｂの上面に取付けられている。スピーカ９は厚みの薄い形状のものが使用され、これに対応して台部１ｂの上面には放音穴９ａ適宣形成されている。乾電池７の上部には録音再生１回路および録音再生２回路を備え、録音１スイッチ３ａ、再生１スイッチ３ｂ、録音２スイッチ４ａ、再生２スイッチ４ｂおよび、録音禁止スイッチ４ｃ、電源切換えスイッチ５のノブは台部１ｂから突出する構造で、また、底板１ｃの溝に固定されている転倒スイッチ５ｂと連動して動作する転倒検知ノブ５ｃも底板１ｃから突出する構造になっている。
【００２２】
図６の回路図の詳細について説明する。充電用電池６、および乾電池７は録音再生１回路３と録音再生２回路４の回路および、照明用ＬＥＤ８に供給するものであり、太陽電池２は充電用電池６に常に並列に接続されており、電源切換えスイッチ５の切換えによって、乾電池７、又は充電用電池６のどちらかに接続されている。ＬＥＤ電源スイッチ５ａと転倒スイッチ５ｂとは直列に接続されており、通常、ＬＥＤ電源スイッチ５ａはオンになっている。また、転倒スイッチ５ｂは転倒しないときはオフで照明用ＬＥＤ８は点灯しないが、録音再生機能付きマルチライト１が転倒して転倒スイッチ５ｂがオンになると、照明用ＬＥＤ８が点灯する。なお、録音再生機能付きマルチスタンド１を手に持って懐中電灯として使用する場合にはＬＥＤ電源スイッチ５ａで照明用ＬＥＤ８をオン、オフすることができ、照明が不要なときはＬＥＤ電源スイッチ５ａをオフすることで、電流が流れず充電用電池６、又は乾電池７の消耗を少なくする。
【００２３】
さらに、図６の録音再生１回路３および録音再生２回路４の回路図について詳細を説明する。録音再生１回路３および録音再生２回路４の電源は充電用電池６、又は乾電池７のいずれかに接続されており、録音１スイッチ３ａ、再生１スイッチ３ｂは録音再生１回路３に接続されており、録音２スイッチ４ａ、再生２スイッチ４ｂは録音再生２回路４に接続されている。なお、録音禁止スイッチ４ｃと録音２スイッチ４ａとは直列に接続されており、録音禁止スイッチ４ｃをオフの録音禁止側に切換えておくことにより誤って録音を消去することを防止できる。マイク３ｃとスピーカ９は録音再生１回路３および録音再生２回路４に並列に接続されておりこれらは共用で使用される。
【符号の説明】
【００２４】
１  録音再生機能付きマルチスタンド
１ａ  筒状本体
１ｂ  台部
１ｃ  底板
１ｄ  ＬＥＤ窓
１ｅ  電池蓋
２  太陽電池
２ａ  逆流防止ダイオード
２ｂ  太陽電池への配線
３  録音再生１回路
３ａ  録音１スイッチ
３ｂ  再生１スイッチ
３ｃ  マイク
３ｄ  スピーカへの配線
４  録音再生２回路
４ａ  録音２スイッチ
４ｂ  再生２スイッチ
４ｃ  録音禁止スイッチ
５  電源切換えスイッチ
５ａ  ＬＥＤ電源スイッチ
５ｂ  転倒スイッチ
５ｃ  転倒検知ノブ
６  充電用電池
７  乾電池
８  照明用ＬＥＤ
８ａ抵抗器
９  スピーカ
９ａ  放音穴
９ｂ  ビス穴
【図１】
0003178983.tif 000003
【図２】
0003178983.tif 000004
【図３】
0003178983.tif 000005
【図４】
0003178983.tif 000006
【図５】
0003178983.tif 000007
【図６】
0003178983.tif 000008